(57)【要約】【課題】ボイラの内部の圧力が低い状態でも、安定してボイラに給水できるボイラシステムを提供すること。【解決手段】ボイラシステム１は、ドレンをボイラ１０に供給するドレン供給ラインＬ３と、ドレンポンプ３１と、オープンタンク４０から補給水をボイラ１０に供給する補給水供給ラインＬ６と、補給水ポンプ６１と、ボイラ１０の内部の圧力を検出する圧力検出部１４と、ボイラ１０の内部の水位を検出する水位検出部１５と、検出された水位が第１水位閾値を下回った場合にボイラ１０への給水を指示する給水指示部９１１と、検出された圧力が圧力閾値を下回っていると、補給水供給ラインＬ６からボイラ１０に補給水を供給させ、検出された圧力が圧力閾値を上回っていると、ドレン供給ラインＬ３からボイラ１０にドレンを供給させる給水制御部９１２と、を備える。【選択図】図１
2014055740.tif 000002
【特許請求の範囲】
【請求項１】
ボイラにおいて生成され、負荷機器において用いられた蒸気が凝集して生じたドレンをドレンタンクに回収して前記ボイラに供給するクローズドタイプのボイラシステムであって、
前記ドレンタンクと前記ボイラとを接続し、前記ドレンタンクに収容されたドレンを前記ボイラに供給するドレン供給ラインと、
前記ドレン供給ラインに配置されるドレンポンプと、
前記ドレン供給ラインにおける前記ドレンポンプよりも下流側に設けられるドレン供給弁と、
大気開放され、前記ボイラに供給される補給水を貯留するオープンタンクと、
前記オープンタンクと前記ボイラとを接続し補給水を前記ボイラに供給する補給水供給ラインと、
前記補給水供給ラインに配置される補給水ポンプと、
前記ボイラの内部の圧力を検出する圧力検出部と、
前記ボイラの内部の水位を検出する水位検出部と、
前記水位検出部により検出された水位が第１水位閾値を下回った場合に前記ボイラへの給水を指示する給水指示部と、
前記給水指示部により前記ボイラへの給水が指示された場合に、
前記圧力検出部により検出された圧力が所定の圧力閾値を下回っていると、前記補給水供給ラインから前記ボイラに補給水を供給させ、
前記圧力検出部により検出された圧力が前記圧力閾値以上であると、前記ドレン供給ラインから前記ボイラにドレンを供給させる給水制御部と、を備えるボイラシステム。
【請求項２】
ボイラにおいて生成され、負荷機器において用いられた蒸気が凝集して生じたドレンをドレンタンクに回収して前記ボイラに供給するクローズドタイプのボイラシステムであって、
前記ドレンタンクと前記ボイラとを接続し、前記ドレンタンクに収容されたドレンを前記ボイラに供給するドレン供給ラインと、
前記ドレン供給ラインに配置されるドレンポンプと、
前記ドレン供給ラインにおける前記ドレンポンプよりも下流側に設けられるドレン供給弁と、
大気開放され、前記ボイラに供給される補給水を貯留するオープンタンクと、
前記オープンタンクと前記ボイラとを接続し補給水を前記ボイラに供給する補給水供給ラインと、
前記補給水供給ラインに配置される補給水ポンプと、
前記ボイラの圧力を検出する圧力検出部と、
前記ボイラの水位を検出する水位検出部と、
前記ボイラの圧力と前記ドレン供給弁の開度とを関連付けて記憶する記憶部と、
前記水位検出部により検出された水位が第１水位閾値を下回った場合に前記ボイラへの給水を指示する給水指示部と、
前記給水指示部により前記ボイラへの給水が指示された場合に、前記圧力検出部により検出された圧力に関連付けて前記記憶部に記憶された開度で前記ドレン供給弁を開放する給水制御部と、を備えるボイラシステム。
【請求項３】
前記給水制御部は、前記水位検出部により検出される水位が、前記第１水位閾値よりも低い第２水位閾値を下回った場合、前記補給水供給ラインから前記ボイラへの給水を開始させる請求項２に記載のボイラシステム。
【請求項４】
前記給水制御部は、前記補給水供給ラインから前記ボイラへの給水を開始させる場合、前記補給水ポンプを駆動させる請求項１〜３のいずれかに記載のボイラシステム。
【請求項５】
前記ボイラは、蒸気を生成する複数の缶体と、該複数の缶体それぞれから生成された蒸気が集合される蒸気ヘッダと、を備え、
前記圧力検出部及び前記水位検出部は、前記複数の缶体それぞれに配置される請求項１〜４のいずれかに記載のボイラシステム。
【発明の詳細な説明】
【技術分野】
【０００１】
本発明は、ボイラシステムに関する。より詳細には、負荷機器から排出されるドレンを、大気に開放することなく回収してボイラに給水するクローズド方式のボイラシステムに関する。
【背景技術】
【０００２】
従来、ボイラで生成された蒸気を負荷機器に供給し、この負荷機器において熱源として使用された蒸気から発生するドレンを回収して再度ボイラへの給水として利用するボイラシステムが提案されている。
このようなドレンを回収して利用するボイラシステムとしては、負荷機器において発生したドレンを、大気に開放された開放型のドレン回収タンクに回収してボイラに給水するオープン方式のシステム、及び耐圧性を有する密閉型のドレン回収タンクにドレンを高温高圧の状態で回収して、このドレンをボイラに給水するクローズド方式のシステムが知られている（例えば、特許文献１参照）。
【０００３】
クローズド方式のボイラシステムでは、回収したドレンをボイラに供給すると共に、回収されたドレンのボイラへの供給量が不足する場合等には、補給用の給水ラインから補給水をボイラに供給している。
【先行技術文献】
【特許文献】
【０００４】
【特許文献１】特開２００６−１０５４４２号公報
【発明の概要】
【発明が解決しようとする課題】
【０００５】
ところで、クローズド方式のボイラシステムでは、１００℃を超える高温高圧状態のドレンがポンプによりボイラに供給される。ここで、ボイラシステムを、複数のボイラにより構成した場合には、負荷機器による蒸気の使用状態によっては、所定のボイラの燃焼が停止される場合が生じる。そして、燃焼が停止されたボイラでは、ボイラの内部における蒸気の生成が停止されるため、ボイラの内部の圧力は低下する。
このような、圧力が低下した状態のボイラにドレンを供給した場合には、ドレンの供給ラインの圧力がボイラの内部の圧力よりも高くなるため、この供給ラインに設けられたポンプの流量が過剰となり、キャビテーションが発生してしまう。
【０００６】
従って、本発明は、ボイラの内部の圧力が低い状態でも、安定してボイラに給水できるクローズド方式のボイラシステムを提供することを目的とする。
【課題を解決するための手段】
【０００７】
本発明は、ボイラにおいて生成され、負荷機器において用いられた蒸気が凝集して生じたドレンをドレンタンクに回収して前記ボイラに供給するクローズドタイプのボイラシステムであって、前記ドレンタンクと前記ボイラとを接続し、前記ドレンタンクに収容されたドレンを前記ボイラに供給するドレン供給ラインと、前記ドレン供給ラインに配置されるドレンポンプと、前記ドレン供給ラインにおける前記ドレンポンプよりも下流側に設けられるドレン供給弁と、大気開放され、前記ボイラに供給される補給水を貯留するオープンタンクと、前記オープンタンクと前記ボイラとを接続し補給水を前記ボイラに供給する補給水供給ラインと、前記補給水供給ラインに配置される補給水ポンプと、前記ボイラの内部の圧力を検出する圧力検出部と、前記ボイラの内部の水位を検出する水位検出部と、前記水位検出部により検出された水位が第１水位閾値を下回った場合に前記ボイラへの給水を指示する給水指示部と、前記給水指示部により前記ボイラへの給水が指示された場合に、前記圧力検出部により検出された圧力が所定の圧力閾値を下回っていると、前記補給水供給ラインから前記ボイラに補給水を供給させ、前記圧力検出部により検出された圧力が前記圧力閾値以上であると、前記ドレン供給ラインから前記ボイラにドレンを供給させる給水制御部と、を備えるボイラシステムに関する。
【０００８】
また、本発明は、ボイラにおいて生成され、負荷機器において用いられた蒸気が凝集して生じたドレンをドレンタンクに回収して前記ボイラに供給するクローズドタイプのボイラシステムであって、前記ドレンタンクと前記ボイラとを接続し、前記ドレンタンクに収容されたドレンを前記ボイラに供給するドレン供給ラインと、前記ドレン供給ラインに配置されるドレンポンプと、前記ドレン供給ラインにおける前記ドレンポンプよりも下流側に設けられるドレン供給弁と、大気開放され、前記ボイラに供給される補給水を貯留するオープンタンクと、前記オープンタンクと前記ボイラとを接続し補給水を前記ボイラに供給する補給水供給ラインと、前記補給水供給ラインに配置される補給水ポンプと、前記ボイラの圧力を検出する圧力検出部と、前記ボイラの水位を検出する水位検出部と、前記ボイラの圧力と前記ドレン供給弁の開度とを関連付けて記憶する記憶部と、前記水位検出部により検出された水位が第１水位閾値を下回った場合に前記ボイラへの給水を指示する給水指示部と、前記給水指示部により前記ボイラへの給水が指示された場合に、前記圧力検出部により検出された圧力に関連付けて前記記憶部に記憶された開度で前記ドレン供給弁を開放する給水制御部と、を備えるボイラシステムに関する。
【０００９】
また、前記給水制御部は、前記水位検出部により検出される水位が、前記第１水位閾値よりも低い第２水位閾値を下回った場合、前記補給水供給ラインから前記ボイラへの給水を開始させることが好ましい。
【００１０】
また、前記給水制御部は、前記補給水供給ラインから前記ボイラへの給水を開始させる場合、前記補給水ポンプを駆動させることが好ましい。
【００１１】
また、前記ボイラは、蒸気を生成する複数の缶体と、該複数の缶体それぞれから生成された蒸気が集合される蒸気ヘッダと、を備え、前記圧力検出部及び前記水位検出部は、前記複数の缶体それぞれに配置されることが好ましい。
【発明の効果】
【００１２】
本発明のボイラシステムによれば、ボイラの内部の圧力が低い状態でも、安定してボイラに給水できる。
【図面の簡単な説明】
【００１３】
【図１】本発明の一実施形態に係るボイラシステムの構成を示す図である。
【図２】ボイラシステムの給水制御における動作を示すフローチャートである。
【発明を実施するための形態】
【００１４】
以下、本発明のボイラシステムの好ましい各実施形態について、図面を参照しながら説明する。本発明のボイラシステムは、負荷機器において発生したドレンを、耐圧性を有する密閉型のタンクに高温高圧の状態で回収して、このドレンをボイラに給水するクローズド方式のボイラシステムである。
【００１５】
まず、第１実施形態のボイラシステム１について説明する。
第１実施形態のボイラシステム１は、図１に示すように、ボイラ１０と、負荷機器２０と、ドレンタンク３０と、オープンタンク４０とを備える。
【００１６】
また、ボイラシステム１は、これらの機器を接続し、蒸気又は水が流通する複数のライン、これら複数のラインを開閉させる複数の弁、所定のラインに配置される複数のポンプ、及びこれら複数の弁や複数のポンプ等の動作を制御する制御装置９を備える。具体的には、ボイラシステム１は、ラインとして、第１蒸気供給ラインＬ１と、第１ドレン供給ラインＬ２と、本発明のドレン供給ラインとしての第２ドレン供給ラインＬ３と、第２蒸気供給ラインＬ４と、フラッシュ蒸気排出ラインＬ５と、本発明の補給水供給ラインとしての第１補給水供給ラインＬ６と、第２補給水供給ラインＬ７と、ドレン循環ラインＬ８と、を備える。また、制御装置９に制御される複数の弁には、後述のドレン供給弁３２及び補給水供給弁６３が含まれ、複数のポンプには、ドレンポンプ３１及び補給水ポンプ６１が含まれる。
【００１７】
ボイラ１０は、蒸気を生成する複数の缶体１１と、これら複数の缶体１１で生成された蒸気が集合される蒸気ヘッダ１２と、複数の缶体１１と蒸気ヘッダ１２とを連結する連結管１３と、複数の缶体１１それぞれに設けられる圧力検出部としての圧力センサ１４及び水位検出部としての水位センサ１５と、を備える。
複数の缶体１１は、これらの缶体１１に供給された水を加熱して蒸気を生成する。複数の缶体１１で生成された蒸気は、連結管１３を通って蒸気ヘッダ１２に供給される。
圧力センサ１４は、ボイラ１０（缶体１１）の内部の圧力を検出する。水位センサ１５は、ボイラ１０（缶体１１）の内部の水位を検出する。
【００１８】
負荷機器２０は、ボイラ１０で発生した蒸気を熱源として利用し、加熱対象物との間で熱交換を行う。
ドレンタンク３０は、負荷機器２０において熱交換に用いられた蒸気の一部が凝集して生じるドレンを回収して収容する。このドレンタンク３０は、耐圧性を有し密閉可能な圧力容器により構成される。
【００１９】
オープンタンク４０は、大気に開放されている。このオープンタンク４０は、ボイラ１０に供給される補給水を貯留する。また、オープンタンク４０には、ドレンタンク３０においてドレンから発生したフラッシュ蒸気が導入される。
【００２０】
第１蒸気供給ラインＬ１は、蒸気ヘッダ１２と負荷機器２０とを接続し、ボイラ１０で生成された蒸気を負荷機器２０に供給する。
第１ドレン供給ラインＬ２は、負荷機器２０とドレンタンク３０とを接続し、負荷機器２０で発生したドレンをドレンタンク３０に供給する。この第１ドレン供給ラインＬ２には、負荷機器２０において発生したドレンを排出し、かつ、蒸気の排出を防ぐスチームトラップ２１、逆止弁２２及びモータバルブ２３が配置される。
【００２１】
第２ドレン供給ラインＬ３は、ドレンタンク３０とボイラ１０とを接続し、ドレンタンク３０に収容されたドレンをボイラ１０に供給する。第１実施形態では、第２ドレン供給ラインＬ３の上流側の端部は、ドレンタンク３０の下部に接続される。また、第２ドレン供給ラインＬ３の下流側は、複数の缶体１１のそれぞれに接続されるように分岐している。
【００２２】
以上の第２ドレン供給ラインＬ３には、ドレンポンプ３１及びドレン供給弁３２が配置される。
ドレンポンプ３１は、ドレンタンク３０から供給されたドレンを昇圧してボイラ１０に供給する。
ドレン供給弁３２は、モータバルブにより構成され、後述の制御部９１により開閉が制御される。
第１実施形態では、ドレンポンプ３１は、第２ドレン供給ラインＬ３における分岐部分よりも上流側に配置される。また、ドレン供給弁３２は、ドレンポンプ３１よりも下流側に設けられる。より具体的には、ドレン供給弁３２は、第２ドレン供給ラインＬ３における分岐部分よりも下流側に配置され、複数の缶体１１に対応して複数設けられる。
【００２３】
第２蒸気供給ラインＬ４は、蒸気ヘッダ１２とドレンタンク３０とを接続する。この第２蒸気供給ラインＬ４は、ボイラ１０で生成された蒸気をドレンタンク３０に供給し、ドレンタンク３０の内部の圧力を調節する。第２蒸気供給ラインＬ４には、圧力調整弁４１及びモータバルブ４２が配置される。
【００２４】
フラッシュ蒸気排出ラインＬ５は、ドレンタンク３０とオープンタンク４０とを接続し、ドレンタンク３０で発生したフラッシュ蒸気をオープンタンク４０に排出する。このフラッシュ蒸気排出ラインＬ５には、圧力調整弁５１が配置されている。圧力調整弁５１は、ドレンタンク３０の内部の圧力が所定の圧力を超えた場合に、フラッシュ蒸気をオープンタンク４０側に逃がして、ドレンタンク３０の内部の圧力を低下させる。
【００２５】
第１補給水供給ラインＬ６は、オープンタンク４０とボイラ１０とを接続する。この第１補給水供給ラインＬ６は、オープンタンク４０に貯留された水を、補給水としてボイラ１０に給水する。第１実施形態では、第１補給水供給ラインＬ６の上流側の端部は、オープンタンク４０の下部に接続される。また、第１補給水供給ラインＬ６の下流側は、複数の缶体１１のそれぞれに接続されるように分岐している。
【００２６】
以上の第１補給水供給ラインＬ６には、補給水ポンプ６１、逆止弁６２、及び補給水供給弁６３と、が配置されている。
補給水ポンプ６１は、オープンタンク４０から供給された補給水を昇圧してボイラ１０に供給する。
逆止弁６２は、補給水ポンプ６１の下流側に配置される。この逆止弁６２は、オープンタンク４０側からボイラ１０側への補給水の流通を許容し、ボイラ１０側からオープンタンク４０側への補給水の流通を遮断する。
補給水供給弁６３は、逆止弁６２の下流側に配置される。
【００２７】
第１実施形態では、補給水ポンプ６１、逆止弁６２、及び補給水供給弁６３は、第１補給水供給ラインＬ６における分岐部分よりも下流側に配置され、複数の缶体１１に対応して複数設けられる。
【００２８】
第２補給水供給ラインＬ７は、オープンタンク４０とドレンタンク３０とを接続し、オープンタンク４０に貯留された水をドレンタンク３０に供給する。第２補給水供給ラインＬ７には、ポンプ７１が配置されている。
【００２９】
ドレン循環ラインＬ８は、第２ドレン供給ラインＬ３とドレンタンク３０とを接続する。より具体的には、ドレン循環ラインＬ８の上流側の端部は、第２ドレン供給ラインＬ３におけるドレンポンプ３１と分岐部分との間に接続される。ドレン循環ラインＬ８の下流側の端部は、ドレンタンク３０の上部に接続されるラインと、ドレンタンク３０の下部に接続されるラインとに分岐している。ドレンタンク３０の上部に接続されるラインには、モータバルブ８１が配置され、ドレンタンク３０の下部に接続されるラインには、オリフィス８２が配置される。
【００３０】
ドレン循環ラインＬ８は、第２ドレン供給ラインＬ３を流通するドレンの一部又は全部を、ドレンタンク３０に戻す。より詳細には、ドレンタンク３０の下部に接続されるラインからは、ドレンタンク３０の液相部にドレンが循環され、ドレンタンク３０の上部に接続されるラインからは、ドレンタンク３０の気相部にドレンが循環される。このドレン循環ラインＬ８では、液相部に循環されるドレンの流量を、オリフィス８２により調整してドレンタンク３０に貯留されるドレンの温度を均一化させつつ、気相部に循環させるドレンにより、ドレンタンク３０の内部で発生するフラッシュ蒸気を回収している。
【００３１】
制御装置９は、ボイラ１０に設けられた圧力センサ１４により検出された圧力及び水位センサ１５により検出された水位に基づいて、ボイラ１０への給水を制御する。
制御装置９は、制御部９１としてのＣＰＵ及び記憶部９２としてのメモリを備えるマイクロプロセッサを含んで構成される。
【００３２】
第１実施形態では、記憶部９２には、ボイラシステム１における給水制御の判断基準として設定された圧力閾値及び第１水位閾値が記憶されている。
より具体的には、圧力閾値は、ボイラ１０に給水を行う場合に、第２ドレン供給ラインＬ３から給水を行うか、第１補給水供給ラインＬ６から給水を行うかの判断基準となる閾値として設定される。また、第１水位閾値は、ボイラ１０に給水を行う判断基準となる閾値として設定される。この第１水位閾値は、ボイラ１０の燃焼状態に対応付けられて設定されており、ボイラ１０の燃焼状態が高い程第１水位閾値は低く、また、ボイラ１０の燃焼状態が低い程、第１水位閾値は高く設定される。
【００３３】
制御部９１は、給水指示部９１１と、給水制御部９１２と、を備える。
給水指示部９１１は、水位センサ１５により検出された水位が記憶部９２に記憶された第１水位閾値を下回った場合に、ボイラ１０への給水を指示する。具体的には、給水指示部９１１は、複数の缶体１１それぞれに設けられた水位センサ１５により検出される水位を監視し、第１水位閾値を下回る水位が検出された缶体１１に対して給水を指示する。
【００３４】
給水制御部９１２は、給水指示部９１１によりボイラ１０への給水が指示された場合に、圧力センサ１４により検出されたボイラ１０の内部の圧力が、記憶部９２に記憶された圧力閾値を下回っていると、オープンタンク４０から第１補給水供給ラインＬ６を通してボイラ１０に補給水を供給させる。
具体的には、給水制御部９１２は、給水が指示された缶体１１に設けられた圧力センサ１４により検出されたボイラ１０（缶体１１）の内部の圧力が、記憶部９２に記憶された圧力閾値を下回っていた場合、当該缶体１１に補給水を供給する補給水ポンプ６１を駆動させて第１補給水供給ラインＬ６から缶体１１に補給水を供給する。この場合、給水制御部９１２は、ドレン供給弁３２については閉止状態を維持させる。
【００３５】
また、給水制御部９１２は、給水指示部９１１によりボイラ１０への給水が指示された場合に、圧力センサ１４により検出されたボイラ１０の内部の圧力が、記憶部９２に記憶された圧力閾値以上であると、ドレンタンク３０から第２ドレン供給ラインＬ３を通してボイラ１０にドレンを供給させる。
具体的には、給水制御部９１２は、給水が指示された缶体１１に設けられた圧力センサ１４により検出されたボイラ１０（缶体１１）の内部の圧力が、記憶部９２に記憶された圧力閾値以上であった場合、当該缶体１１にドレンを供給するラインに設けられたドレン供給弁３２を開放させて、第２ドレン供給ラインＬ３から缶体１１にドレンを供給する。この場合、給水制御部９１２は、補給水ポンプ６１については、駆動を停止させた状態を維持させる。
【００３６】
尚、第１実施形態のボイラシステム１においては、ドレンポンプ３１は、常時駆動されており、ドレン供給弁３２の開閉により、ドレンのボイラ１０への供給は調整される。そして、ドレン供給弁３２が閉止されている状態では、第２ドレン供給ラインＬ３を流通するドレンは、ドレン循環ラインＬ８を通って再度ドレンタンク３０に供給される。
【００３７】
次に、第１実施形態のボイラシステム１におけるボイラ１０への給水制御の流れについて、図２を参照しながら説明する。図２は、第１実施形態のボイラシステム１における給水制御に関する動作を示すフローチャートである。
【００３８】
まず、ステップＳＴ１において、制御部９１は、水位センサ１５により測定される複数の缶体１１の水位が第１水位閾値を下回っているかを判定する。制御部９１により缶体１１の水位が第１水位閾値を下回っていると判定された場合、処理は、ステップＳＴ２に進む。制御部９１により、缶体１１の水位が第１閾値を下回っていない（第１閾値以上）であると判定された場合、処理は、ステップＳＴ１に戻る。
【００３９】
ステップＳＴ２において、給水指示部９１１は、水位が第１水位閾値を下回った缶体１１への給水を指示し、処理は、ステップＳＴ３に進む。
【００４０】
ステップＳＴ３において、給水制御部９１２は、圧力センサ１４により検出される缶体１１の圧力が圧力閾値を下回っているかを判定する。給水制御部９１２により、缶体１１の圧力が圧力閾値を下回っていると判定された場合、処理は、ステップＳＴ４に進む。給水制御部９１２により、缶体１１の圧力が圧力閾値を下回っていない（圧力閾値以上である）と判定された場合、処理は、ステップＳＴ５に進む。
【００４１】
ステップＳＴ４において、給水制御部９１２は、給水が指示された缶体１１に補給水を供給する補給水ポンプ６１を駆動させて第１補給水供給ラインＬ６から缶体１１に補給水を供給し、処理を終了する。
【００４２】
ステップＳＴ５において、給水制御部９１２は、給水が指示された缶体１１にドレンを供給するラインに設けられたドレン供給弁３２を開放させて、第２ドレン供給ラインＬ３から缶体１１にドレンを供給し、処理を終了する。
【００４３】
以上説明した第１実施形態のボイラシステム１によれば、以下のような効果を奏する。
【００４４】
（１）ボイラシステム１を、ボイラ１０の内部の圧力を検出する圧力センサ１４と、ボイラ１０の内部の水位を検出する水位センサ１５と、給水指示部９１１と、給水制御部９１２と、を含んで構成し、給水指示部９１１に、水位センサ１５により検出された水位が第１水位閾値を下回った場合にボイラ１０への給水を指示させた。そして、給水制御部９１２に、給水指示部９１１によりボイラ１０への給水が指示された場合に、ボイラ１０の内部の圧力が圧力閾値を下回っているとオープンタンク４０からボイラ１０に補給水を供給させ、ボイラ１０の内部の圧力が圧力閾値以上であるとドレンタンク３０からボイラ１０にドレンを供給させた。これにより、給水が指示されたボイラ１０の内部の圧力が低い場合には、オープンタンク４０からの補給水をボイラ１０に供給させられるので、圧力が低下した状態のボイラにドレンを供給されることによるキャビテーションの発生を防げる。よって、ボイラ１０の内部の圧力が低い状態でも、安定してボイラ１０に給水できる。
【００４５】
（２）第１補給水供給ラインＬ６に、補給水ポンプ６１及び逆止弁６２を配置し、第１補給水供給ラインＬ６からボイラ１０への給水を開始させる場合、補給水ポンプ６１を駆動させた。これにより、補給水ポンプ６１の駆動のみを制御することで、第１補給水供給ラインＬ６からボイラ１０への給水を制御できるので、ボイラシステム１の制御を効率化できる。
【００４６】
（３）ボイラ１０を、複数の缶体１１と、これら複数の缶体それぞれから生成された蒸気が集合される蒸気ヘッダ１２と、を含んで構成し、圧力センサ１４及び水位センサ１５を、複数の缶体１１それぞれに配置した。これにより、複数の缶体１１を備えるボイラ１０において、それぞれの缶体１１の圧力に応じて、缶体１１毎にドレンの給水又はオープンタンク４０からの給水を決定できるので、複数の缶体１１を備えるボイラシステム１においても給水制御を好適に行える。
【００４７】
次に、本発明の第２実施形態に係るボイラシステムの構成について、説明する。尚、第２実施形態の説明にあたって、同一構成要件については同一符号を付し、その説明を省略もしくは簡略化する。
【００４８】
第２実施形態では、主として、ボイラ１０の圧力に応じてオープンタンク４０からの給水を行う制御に代えて、ボイラ１０の圧力に応じてドレン供給弁３２の開度を調節する制御を行う点で、第１実施形態と異なる。
第２実施形態では、記憶部９２には、ボイラ１０の内部の圧力とドレン供給弁３２の開度とが関連付けられて記憶される。また、記憶部９２には、第１水位閾値に加えて、この第１水位閾値よりも低い水位閾値として設定された第２水位閾値が記憶される。
【００４９】
そして、第２実施形態では、給水制御部９１２は、給水指示部９１１によりボイラ１０への給水が指示された場合、圧力センサ１４により検出されたボイラ１０の内部の圧力の値から、当該圧力と関連づけられて記憶部９２に記憶されているドレン供給弁３２の開度を参照する。そして、給水制御部９１２は、ボイラ１０の内部の圧力の値に関連付けられた開度にて、ドレン供給弁３２を開放する。具体的には、圧力センサ１４により検出された圧力が高い場合には、ドレン供給弁３２の開度は大きくなり、圧力センサ１４により検出される圧力が低い場合には、ドレン供給弁３２の開度は小さくなる。
【００５０】
尚、ドレン供給弁３２の開度は、複数の圧力値に対応して段階的に変更してもよく、圧力センサ１４により検出される圧力に応じて連続的に変更してもよい。
【００５１】
また、第２実施形態では、給水制御部９１２は、水位センサ１５により検出される水位が第２水位閾値を下回った場合には、第１補給水供給ラインＬ６からのボイラ１０への給水を開始させる。
【００５２】
即ち、第２実施形態では、給水を指示されたボイラ１０（缶体１１）の圧力が低い場合、ドレン供給弁３２の開度は小さくなるので、缶体１１へのドレンの単位時間あたりの供給量は少なくなる。そのため、このような場合には、給水を指示された缶体１１の水位が更に低下していく場合がある。そこで、給水制御部９１２に、水位センサ１５により検出される水位が第２水位閾値を下回った場合には、第１補給水供給ラインＬ６からのボイラ１０への給水を開始させることで、缶体１１の水位が過剰に低下することを防げる。
【００５３】
以上説明した第２実施形態のボイラシステム１によれば、上述した（１）〜（３）の効果を奏する他、以下のような効果を奏する。
【００５４】
（４）記憶部９２に、ボイラ１０の圧力とドレン供給弁３２の開度とを関連付けて記憶させ、給水制御部９１２に、検出されたボイラ１０の圧力値に関連付けられて記憶部９２に記憶されている開度でドレン供給弁３２を開放させた。これにより、ボイラ１０の内部の圧力に応じてドレンを供給する流量を制御できるため、ボイラ１０の内部の圧力が低い場合には、ボイラ１０に供給されるドレンの流量を減少させることで、ドレンポンプ３１の下流側における圧力を確保でき、キャビテーションの発生を防止することができる。
【００５５】
（５）給水を指示されたボイラ１０（缶体１１）の圧力が低い場合、ドレン供給弁３２の開度は小さくなるので、缶体１１へのドレンの単位時間あたりの供給量は少なくなる。そのため、このような場合には、給水を指示された缶体１１の水位が更に低下していく場合がある。そこで、給水制御部９１２に、水位センサ１５により検出される水位が第２水位閾値を下回った場合には、第１補給水供給ラインＬ６からのボイラ１０への給水を開始させた。これにより、ボイラ１０の圧力に応じてドレン供給弁３２の開度を調整した場合であっても、缶体１１の水位が過剰に低下することを防げる。
【００５６】
以上、本発明のボイラシステムの好ましい各実施形態について説明したが、本発明は、上述した実施形態に制限されるものではなく、適宜変更が可能である。
例えば、第１実施形態では、第１補給水供給ラインＬ６からボイラ１０への給水を開始させる場合、補給水ポンプ６１を駆動させたが、これに限らない。即ち、補給水供給弁をモータバルブにより構成し、第１補給水供給ラインＬ６からボイラ１０への給水を開始させる場合に、給水制御部に補給水供給弁を開放させてもよい。
【符号の説明】
【００５７】
１    ボイラシステム
１０  ボイラ
１１  缶体
１２  蒸気ヘッダ
１４  圧力センサ（圧力検出部）
１５  水位センサ（水位検出部）
３１  ドレンポンプ
３２  ドレン供給弁
４０  オープンタンク
６１  補給水ポンプ
９１１  給水指示部
９１２  給水制御部
９２  記憶部
Ｌ３  第２ドレン供給ライン（ドレン供給ライン）
Ｌ６  第１補給水供給ライン（補給水供給ライン）
【図１】
2014055740.tif 000003
【図２】
2014055740.tif 000004